(57)【要約】  【課題】  電池蓋の着脱、交換を容易にすることができる補聴器を提供する。  【解決手段】  電池蓋１０２は、自身を本体部１０９に保持させ、自身の開閉時の軸となる２つの対向する突起部１０７を備え、本体部は、電池蓋の突起部を、軸を中心に回動可能に保持する回転支持部１０４と、本体部に対する電池蓋の着脱時に、突起部の一方が軸方向に移動したときにこれを一時的に受け入れることの可能な取り出しスリット１０６とを備える。【選択図】  図１
2006115399.tif 000002
【特許請求の範囲】
【請求項１】
電池の飛び出しを防止する電池蓋と、前記電池蓋が取り付けられる本体部とからなる補聴器において、
前記電池蓋は、自身を前記本体部に保持させ、自身の開閉時の軸となる２つの対向する突起部を備え、
前記本体部は、
前記軸を中心に回動可能な前記電池蓋の前記突起部を保持する回転支持部と、
前記本体部に対する前記電池蓋の着脱時に、前記突起部の一方が前記軸方向に移動したときにこれを一時的に受け入れることの可能な取り出しスリットとを、
備えることを特徴とする補聴器。
【請求項２】
前記突起部を前記回転支持部に保持させる場合、及び前記回転支持部に保持された前記突起部を有する前記電池蓋を前記本体部から取り外す場合に、前記本体部は、前記突起部が前記回転支持部と前記取り出しスリットとの間を移動するとき、前記突起部を弾性変形させるスライド部を備えることを特徴とする請求項１に記載の補聴器。
【請求項３】
前記電池の両極に接する各端子が、前記本体部に設けられていることを特徴とする請求項１又は２に記載の補聴器。
【請求項４】
電池の飛び出しを防止する電池蓋と、前記電池蓋が取り付けられる本体部とからなる補聴器において、
前記本体部は、
前記電池蓋を自身に保持させ、前記電池蓋の開閉時の軸となる２つの互いに逆向きの突起部を備え、
前記電池蓋は、
自身が前記軸を中心に回動可能なように、前記本体部の前記突起部を保持する回転支持部と、
前記回転支持部に前記突起部を保持させるときに、前記突起部を一時的に受け入れることの可能なスリットと、
前記突起部が前記スリットと前記回転支持部との間を移動するとき、弾性変形をして前記突起部を前記回転支持部に保持させるスライド部とを、
備えることを特徴とする補聴器。
【請求項５】
前記電池の両極に接する各端子が、前記本体部に設けられていることを特徴とする請求項４に記載の補聴器。
【発明の詳細な説明】
【技術分野】
【０００１】
本発明は、電池蓋が取り付けられた補聴器に関する。
【背景技術】
【０００２】
従来の補聴器について図８を用いて説明する。図８に示すように、従来の補聴器８００の本体部８０１内には、電源となる電池８０２が着脱自在に装着される。電池蓋８０３は、金属からなる蝶番８０４によって補聴器８００の本体部８０１に固定されている。これにより、従来の補聴器８００は、蝶番８０４を軸に回動して開閉が可能になっている。このような従来の補聴器が下記の特許文献１に開示されている。
【特許文献１】特表平１０−５０６５１０号公報（図１）
【発明の開示】
【発明が解決しようとする課題】
【０００３】
しかしながら、特許文献１に開示されたような従来の補聴器では、補聴器８００の本体部８０１に電池蓋８０３が蝶番８０４によって固定されており、さらに電源用電池の両極に接することで電気的に接続される電気端子が電池蓋８０３側にも設けられているため、電池蓋８０３の取り外し、交換が困難であるという問題があった。
【０００４】
本発明は、上記問題を解決するためになされたものであり、電池蓋の着脱、交換を容易にすることができる補聴器を提供することを目的とする。
【課題を解決するための手段】
【０００５】
上記目的を達成するために、本発明によれば、電池の飛び出しを防止する電池蓋と、前記電池蓋が取り付けられる本体部とからなる補聴器において、前記電池蓋は、自身を前記本体部に保持させ、自身の開閉時の軸となる２つの対向する突起部を備え、前記本体部は、前記軸を中心に回動可能な前記電池蓋の前記突起部を保持する回転支持部と、前記本体部に対する前記電池蓋の着脱時に、前記突起部の一方が前記軸方向に移動したときにこれを一時的に受け入れることの可能な取り出しスリットとを備えることを特徴とする補聴器が提供される。この構成により、電池蓋の着脱、交換を容易に行うことができる。
【０００６】
また、本発明の補聴器において、前記突起部を前記回転支持部に保持させる場合、及び前記回転支持部に保持された前記突起部を有する前記電池蓋を前記本体部から取り外す場合に、前記本体部は、前記突起部が前記回転支持部と前記取り出しスリットとの間を移動するとき、前記突起部を弾性変形させるスライド部を備えることは、本発明の好ましい態様である。この構成により、より容易に電池蓋の着脱、交換を行うことができる。
【０００７】
また、本発明の補聴器において、前記電池の両極に接する各端子が前記本体部に設けられていることは、本発明の好ましい態様である。この構成により、電池蓋のデザインの制約を受けることなく、ユーザの好みに合う電池蓋を提供することができる。
【０００８】
また、本発明によれば、電池の飛び出しを防止する電池蓋と、前記電池蓋が取り付けられる本体部とからなる補聴器において、前記本体部は、前記電池蓋を自身に保持させ、前記電池蓋の開閉時の軸となる２つの互いに逆向きの突起部を備え、前記電池蓋は、自身が前記軸を中心に回動可能なように、前記本体部の前記突起部を保持する回転支持部と、前記回転支持部に前記突起部を保持させるときに、前記突起部を一時的に受け入れることの可能なスリットと、前記突起部が前記スリットと前記回転支持部との間を移動するとき、弾性変形をして前記突起部を前記回転支持部に保持させるスライド部とを備えることを特徴とする補聴器が提供される。この構成により、電池蓋の着脱、交換を容易に行うことができる。
【０００９】
また、本発明の補聴器において、前記電池の両極に接する各端子が前記本体部に設けられていることは、本発明の好ましい態様である。この構成により、電池蓋のデザインの制約を受けることなく、ユーザの好みに合う電池蓋を提供することができる。
【発明の効果】
【００１０】
本発明の補聴器は、上記構成を有し、電池蓋の着脱、交換を容易にすることができる。
【発明を実施するための最良の形態】
【００１１】
＜第１の実施の形態＞
まず、本発明の第１の実施の形態に係る補聴器について図１を用いて説明する。図１（ａ）に示すように、補聴器１００は、電源となる不図示の電池の飛び出しを防止するための電池蓋１０２と、電池蓋１０２が取り付けられる本体部１０９とから構成されている。電池蓋１０２は、電池蓋１０２自身を本体部１０９に保持させるための回転軸部（上述した突起部に相当）１０７を有している。この回転軸部１０７は、２つの対向する突起部分からなっている。本体部１０９は、電池を収納する収納部１０１と、電池蓋１０２を本体部１０９に結合させるための結合部１０３とを含む。ここで、結合部１０３の詳細について図１（ｂ）を用いて説明する。結合部１０３は、回転支持部１０４、クリック支持部（上述したスライド部に相当）１０５、取り出しスリット１０６から構成されている。
【００１２】
回転支持部１０４は、電池蓋１０２の開閉時の回転（以下、回動とも言う）の支持となる回転軸部１０７を、回転の軸を中心に回動可能に保持するものである。具体的には、回転支持部１０４は、回転軸部１０７を保持できる穴部となっている。クリック支持部１０５は、電池蓋１０２の回転軸部１０７を回転支持部１０４に保持させる場合、及び回転支持部１０４に保持された回転軸部１０７を有する電池蓋１０２を本体部１０９から取り外す場合に、回転軸部１０７が回転支持部１０４と取り出しスリット１０６との間を移動するとき、回転軸部１０７を弾性変形させ、容易に電池蓋１０２の着脱を可能とさせるものであり、傾斜がついている。
【００１３】
ここで、クリック支持部１０５の形状の一例について図２を用いて説明する。図２は、図１（ｂ）に示す矢印１０８の方向から見たときの回転支持部１０４、クリック支持部１０５、後述する取り出しスリット１０６の形状を示す図である。図２に示すように、クリック支持部１０５は、山型の形状をしている。この山型の両側の傾斜を電池蓋１０２の回転軸部１０７に挟ませて、矢印２０１、２０２の方向に電池蓋１０２の回転軸部１０７をスライドさせる。スライドさせることにより、円滑に電池蓋１０２の回転軸部１０７を回転支持部１０４へ保持させることができ、また電池蓋１０２の交換などで本体部１０９から電池蓋１０２を取り外すときにも円滑に行うことができる。また、ユーザは山型の頂点２００を境に、電池蓋１０２が回転支持部１０４側にあるのか、あるいは取り出しスリット１０６側にあるのかを指先で感じ取ることができる。
【００１４】
取り出しスリット１０６は、電池蓋１０２の着脱時に、回転軸部１０７の一方の突起部分が回転の軸方向に移動したときにこれを一時的に受け入れることの可能なものである。このとき、他方の突起部分が取り出しスリット１０６から抜け出し、係合状態からはずれる。これにより、円滑に電池蓋１０２を着脱させることができる。具体的には、図２に示すように、隙間ができており、この隙間を利用して電池蓋１０２の回転軸部１０７にストレスをかけることなく、容易に着脱が可能となる。
【００１５】
次に、電池蓋１０２について図３を用いて説明する。図３に示すように、電池蓋１０２は、上述した回転軸部１０７を有している。回転軸部１０７は、回転支持部１０４に引っ掛かるような構成になっている。回転支持部１０４への回転軸部１０７の引っ掛かりを支点として電池蓋１０２が開閉される。なお、電池蓋１０２の形状は、上述のようなものに限られるものではなく、回転軸部１０７が回転支持部１０４へ引っ掛かり、電池蓋１０２の開閉の支点としての機能を有するものであればよい。電池蓋１０２はこのような構成により着脱が可能であるため、ユーザの好みのデザイン（形状、色、模様など）の電池蓋１０２に容易に交換ができる。図４には、本体部１０９に電池蓋１０２が取り付けられた補聴器１００が示されている。図４（ａ）は、電池蓋１０２が閉まった状態を示している。また、図４（ｂ）は、電池蓋１０２が開いた状態を示している。図４（ａ）及び（ｂ）から、回転支持部１０４に保持された回転軸部１０７を支点として電池蓋１０２の開閉がなされることがわかる。
【００１６】
また、従来の電池蓋には電池の電極に対応する端子が備えられていたが、本発明の第１の実施の形態に係る補聴器１００の電池蓋１０２には、電池端子が存在せず、本体部１０９側にのみ存在する。本体部１０９側の電池端子の一方は弾性のある導電体で構成され、通常は収納された電池に対し遠ざかる方向に弾性が働くために離れており、電池蓋１０２が閉じられたとき、電池蓋１０２に押されて電池に接触するように構成されている。電池蓋１０２側に電池端子がないため、形状、色、模様などの面でデザイン性のある電池蓋１０２をユーザの好みで頻繁に変更しても、電池端子が電池に接触しないなどの不具合が生じない。以下に、電池蓋１０２側に電池端子がない補聴器１００の態様について図５を用いて説明する。図５に示すように、本体部１０９に電池が装着された際、本体部１０９に備え付けられたプラスの電池端子５００が電池蓋１０２に押され電池の一方の端子へ接触する。もう一方のマイナスの電池端子５０１は、従来の補聴器と同様に本体部１０９に備え付けられている。これにより、電流が流れ、補聴器１００は駆動する。なお、プラスの電池端子５００の形状や配置などは、上述のようなものに限られるものではない。
【００１７】
＜第２の実施の形態＞
以下、本発明の第２の実施の形態に係る補聴器について図６及び図７を用いて説明する。図６は本発明の第２の実施の形態に係る補聴器の外観とその結合部を示す図である。図７は本発明の第２の実施の形態に係る補聴器の電池蓋の外観とその詳細について説明するための図である。
【００１８】
本発明の第２の実施の形態に係る補聴器について図６を用いて説明する。図６（ａ）に示すように、補聴器６００は、電源となる不図示の電池の飛び出しを防止するための電池蓋６０２と、電池蓋６０２が取り付けられる本体部６０９とから構成されている。電池蓋６０２は、電池蓋６０２自身が回動可能なように、本体部６０９の後述する突起部６０５を保持する回転支持部６０７と、回転支持部６０７に突起部６０５を保持させるときに、突起部６０５を一時的に受け入れることの可能なスリット６０６と、突起部６０５がスリット６０６と回転支持部６０７との間を移動するとき、弾性変形をして突起部６０５を回転支持部６０７に保持させるスライド部６０４とを備える。
【００１９】
本体部６０９は、電池蓋６０２を本体部６０９自身に保持させ、電池蓋６０２の開閉時の軸となる２つの互いに逆向きの突起部６０５を備える。また、本体部６０９は、電池を収納する収納部６０１と、電池蓋６０２を本体部６０９に結合させるための結合部６０３とを含む。ここで、結合部６０３の詳細について図６（ｂ）を用いて説明する。結合部６０３は、突起部６０５を有している。突起部６０５は、電池蓋６０２の開閉時の回転（以下、回動とも言う）の支持となるものである。
【００２０】
次に、電池蓋６０２の詳細について図７を用いて説明する。図７（ａ）に示すように、電池蓋６０２は、回転支持部６０７、スリット６０６、スライド部６０４を有している。回転支持部６０７、スリット６０６、スライド部６０４について図７（ｂ）を用いて説明する。図７（ｂ）は、図７（ａ）の電池蓋６０２を矢印７００の方向に見た様子を示す図である。ここで、スリット６０６の大きさは、回転支持部６０７の大きさよりも大きくてもよい。スリット６０６の大きさが回転支持部６０７の大きさより大きい場合には、電池蓋６０２の両回転支持部６０７間の回転軸を突起部６０５の回転軸に対し傾けつつ挿入することにより、突起部６０５を容易にスリット６０６へ挿入することができ、挿入された状態で電池蓋６０２を矢印７０１の方向に移動させることによって、容易に電池蓋６０２を本体部６０９に取り付けることができる。また、スライド部６０４あるいは蓋側部７０２を弾性変形する材料で構成することにより、ユーザは容易に電池蓋６０２を本体部６０９に取り付けることができ、電池蓋６０２が本体部６０９に取り付けられたことを指先で感じることができる。なお、補聴器６００は、第１の実施の形態に係る補聴器１００と同様、電池端子が電池蓋６０２側に無く、本体部６０９側のみにあるものであってもよい。このような補聴器６００の態様については、第１の実施の形態に係る補聴器１００と同様であるため、説明を省略する。
【産業上の利用可能性】
【００２１】
本発明に係る補聴器は、電池蓋の着脱、交換を容易にすることができるため、電池蓋が取り付けられた補聴器などに有用である。
【図面の簡単な説明】
【００２２】
【図１】（ａ）本発明の第１の実施の形態に係る補聴器の外観を示す図（ｂ）本発明の第１の実施の形態に係る補聴器の結合部を説明するための図
【図２】本発明の第１の実施の形態に係る補聴器のクリック支持部を説明するための図
【図３】本発明の第１の実施の形態に係る補聴器の電池蓋について説明するための図
【図４】（ａ）本発明の第１の実施の形態に係る補聴器の電池蓋が閉まった状態を示す図（ｂ）本発明の第１の実施の形態に係る補聴器の電池蓋が開いた状態を示す図
【図５】本発明の第１の実施の形態に係る補聴器の電池端子について説明するための図
【図６】（ａ）本発明の第２の実施の形態に係る補聴器の外観を示す図（ｂ）本発明の第２の実施の形態に係る補聴器の結合部を説明するための図
【図７】（ａ）本発明の第２の実施の形態に係る補聴器の電池蓋の外観を示す図（ｂ）本発明の第２の実施の形態に係る補聴器の電池蓋の詳細を説明するための図
【図８】従来の補聴器について説明するための図
【符号の説明】
【００２３】
１００、６００  補聴器
１０１、６０１  収納部
１０２、６０２  電池蓋
１０３、６０３  結合部
１０４、６０７  回転支持部
１０５  クリック支持部（スライド部）
１０６  取り出しスリット
１０７  回転軸部（突起部）
１０８、２０１、２０２、７００、７０１  矢印
１０９、６０９  本体部
２００  山型の頂点
５００  プラスの電池端子
５０１  マイナスの電池端子
６０４  スライド部
６０５  突起部
６０６  スリット
７０２  蓋側部
【図１】
2006115399.tif 000003
【図２】
2006115399.tif 000004
【図３】
2006115399.tif 000005
【図４】
2006115399.tif 000006
【図５】
2006115399.tif 000007
【図６】
2006115399.tif 000008
【図７】
2006115399.tif 000009
【図８】
2006115399.tif 000010